(57)【特許請求の範囲】
【請求項１】
ベッドサイドキャビネットの本体の上部において、下側要素の上方に、上側要素を、本体の後側に構成した支持部により間隔を置いて支持して、上側要素の下面と下側要素の上面の間にディスプレイの設置空間を構成し、前記支持部よりも前方側において、前記上側要素の下面と前記下側要素の上面間に支柱を設けると共に、この支柱に屈曲アーム式ディスプレイ支持具を旋回角度調節可能に支持する構成とし、本体の後側に構成した前記支持部は前方側に突出する側板を有しない板体として構成したことを特徴とするベッドサイドキャビネット。
【請求項２】
板体から支柱の近傍まで仕切板を取付可能に構成したことを特徴とする請求項１に記載のベッドサイドキャビネット。
【請求項３】
ベッドサイドキャビネットの本体の上部において、下側要素の上方に、上側要素を、本体の後側に構成した支持部により間隔を置いて支持して、上側要素の下面と下側要素の上面の間にディスプレイの設置空間を構成し、前記支持部よりも前方側において、前記上側要素の下面と前記下側要素の上面間に支柱を設けると共に、この支柱に屈曲アーム式ディスプレイ支持具を旋回角度調節可能に支持する構成とし、前記屈曲アーム式ディスプレイ支持具は、支柱に旋回角度調節可能に支持する支持部材と、この支持部材に横方向に突設した第１のアームと、この第１のアームの先端側に縦軸の回りに回転可能に連結した第２のアームと、一端側を前記第２のアームの先端側に縦軸の回りに回転可能に連結すると共に、他端側にディスプレイ取付金具を横軸の回りに回転可能に連結した取付部材とから構成し、前記支持部材は、支柱に相対回転可能に嵌合した筒体として構成し、支持部材及び支柱には、支持部材の回転ストロークを規定する規定手段を構成すると共に、回転ストロークの両端側において回転を不能とするストッパー手段を構成したことを特徴とするベッドサイドキャビネット。
【請求項４】
回転ストロークの規定手段は、支持部材に回転ストロークに対応して回転方向に形成した溝と、支柱に形成して前記溝に係合する突出部とから構成したことを特徴とする請求項３に記載のベッドサイドキャビネット。
【請求項５】
ストッパー手段は、回転ストロークの両端側に対応して支柱に形成した嵌合孔と、第１のアームから支持部材の内側にバネの付勢により突出可能に設けたストッパーピンと、このストッパーピンを付勢に抗して後退させる操作レバーとから構成したことを特徴とする請求項３に記載のベッドサイドキャビネット。
【請求項６】
ベッドサイドキャビネットの本体の上部において、下側要素の上方に、上側要素を、本体の後側に構成した支持部により間隔を置いて支持して、上側要素の下面と下側要素の上面の間にディスプレイの設置空間を構成し、前記支持部よりも前方側において、前記上側要素の下面と前記下側要素の上面間に支柱を設けると共に、この支柱に屈曲アーム式ディスプレイ支持具を旋回角度調節可能に支持する構成とし、前記屈曲アーム式ディスプレイ支持具は、支柱に旋回角度調節可能に支持する支持部材と、この支持部材に横方向に突設した第１のアームと、この第１のアームの先端側に縦軸の回りに回転可能に連結した第２のアームと、一端側を前記第２のアームの先端側に縦軸の回りに回転可能に連結すると共に、他端側にディスプレイ取付金具を横軸の回りに回転可能に連結した取付部材とから構成し、前記支柱に配線用孔を形成し、屈曲アーム式ディスプレイ支持具を構成する第１のアーム、第２のアーム及び配線用孔を介して支柱内を通して配線を行う構成としたことを特徴とするベッドサイドキャビネット。
【請求項７】
ベッドサイドキャビネットの本体の上部において、下側要素の上方に、上側要素を、本体の後側に構成した支持部により間隔を置いて支持して、上側要素の下面と下側要素の上面の間にディスプレイの設置空間を構成し、前記支持部よりも前方側において、前記上側要素の下面と前記下側要素の上面間に支柱を設けると共に、この支柱に屈曲アーム式ディスプレイ支持具を旋回角度調節可能に支持する構成とし、前記屈曲アーム式ディスプレイ支持具は、支柱に旋回角度調節可能に支持する支持部材と、この支持部材に横方向に突設した第１のアームと、この第１のアームの先端側に縦軸の回りに回転可能に連結した第２のアームと、一端側を前記第２のアームの先端側に縦軸の回りに回転可能に連結すると共に、他端側にディスプレイ取付金具を横軸の回りに回転可能に連結した取付部材とから構成し、前記屈曲アーム式ディスプレイ支持具を構成する第１のアームと、本体の後側の支持部により載置板を支持可能としたことを特徴とするベッドサイドキャビネット。
【発明の詳細な説明】
【技術分野】
【０００１】
本発明はベッドサイドキャビネットに関するものである。
【背景技術】
【０００２】
病院や介護施設等の病室等において、利用者がベッド上でテレビを視聴したり、院内情報端末を利用するために、液晶等の薄型のテレビやモニター等のディスプレイをベッドの近傍に設置することが多く行われている。
【０００３】
ベッドの近傍にディスプレイを設置する方法としては、従来から、（ａ）天井や壁面に屈曲アーム式等のディスプレイ支持具を取り付けて支持する方法、（ｂ）ベッドのヘッドボードやフットボードにディスプレイ支持具を取り付けて支持する方法、（ｃ）ベッドサイドに置いて、ベッドの利用者が身の回りの小物類等の物品を収納するのに使用するベッドサイドキャビネットに載置部を構成して、そこにディスプレイを載置して支持する方法、（ｄ）ベッドサイドキャビネットにディスプレイ支持具を取り付けて支持する方法等が行われている。
【０００４】
本発明は、（ｄ）のベッドサイドキャビネットにディスプレイ支持具を取り付けて支持する方法に関するもので、このような方法を採用している従来技術としては、例えば特許文献１〜特許文献３に記載されているようなものがある。
【０００５】
まず特許文献１に記載されたベッドサイドキャビネットは、下側の収納部の上方にディスプレイ設置用の空間部を隔てて天井部が構成されており、この天井部の下面にディスプレイ支持具が取り付けられている。このディスプレイ支持具は、ディスプレイ取付体が縦軸の回りに回転可能に吊持された構成である。ディスプレイ支持具が取り付けられる天井部は、前方側から側面コ字状に切り欠かれている側板と後側の板体とにより片持式に支持されている。
【０００６】
次に特許文献２に記載されたベッドサイドキャビネットは、特許文献１と同様に下側の収納部の上方にディスプレイ設置用の空間部を隔てて天井部が構成されており、この天井部の下面にディスプレイ支持具が取り付けられている。このディスプレイ支持具は、縦軸の回りに回転可能に吊持されたディスプレイ取付体がレールに沿ってベッドサイドキャビネットの前後方向に移動可能とされた構成である。この特許文献２においても、ディスプレイ支持具が取り付けられる天井部は、前方側から側面コ字状に切り欠かれている側板と後側の板体とにより片持式に支持されている。
【０００７】
次に特許文献３に記載されたベッドサイドキャビネットは、下側の収納部の後側に左右２本の支柱を立設し、それらの支柱の上端は前方に向かって折り曲げられていて、それらには、図示されてはいないが、上側の収納部としての上部収納ボックスが取り付けられるようになっている。即ち、上側の収納部は、後側の支柱により、上述した特許文献１、２のベッドサイドキャビネットと同様に片持式に支持される構成である。そして、左右２本の支柱間を連結する梁部材の中央にディスプレイ支持具が取り付けられており、このディスプレイ支持具は後側から前方に突出したアームが縦軸の回りに回転可能に支持されると共に、アームの先端側にはディスプレイ取付用のブラケットが縦軸の回りに回転可能に連結されている構成である。
【０００８】
また特許文献４に記載されたベッドサイドキャビネットは、特許文献１と同様に下側の収納部の上方にディスプレイ設置用の空間部を隔てて天井部が構成されており、下側の収納部のテーブル面の後側に一段高く形成された蓋板に沿って屈曲アーム式ディスプレイ支持具が回動移動可能に設けられ構成である。この特許文献４においても天井部は、前方側から側面コ字状に切り欠かれている側板と後側の板体とにより片持式に支持されている。
【先行技術文献】
【特許文献】
【０００９】
【特許文献１】特開２００６−２０８８３４号公報
【特許文献２】特開２００６−１３９２１５号公報
【特許文献３】特開２００５−１９８９２３号公報
【特許文献４】特開２００７−１２４０２４号公報
【発明の概要】
【発明が解決しようとする課題】
【００１０】
特許文献１と特許文献２に示されるベッドサイドキャビネットでは、ディスプレイ支持具を介してディスプレイの荷重を支持する天井部が片持式に支持される構成であるため、側板は、前方側から側面コ字状に切り欠かれた構成ではあっても、荷重を支えるために縁が前方側に突出しており、この突出した側板の縁が、ベッドサイドキャビネットの横方向からのディスプレイの視聴の妨げになりやすい。また天井部は、ディスプレイの荷重を支えるため、その上に載せる物品の重量は軽いものに制限されてしまう。
【００１１】
また特許文献３と特許文献４に示されるベッドサイドキャビネットでは、ディスプレイ支持具を構成する片持ちのアームが後側から前方側に突出する構成であり、アーム長が長いため、支持可能なディスプレイの重量が制限される。またディスプレイの設置空間よりも上方の上側の収納部や天井部は、特許文献１、特許文献２と同様に片持ちで支持されるため、収納または載置する重量が制限されてしまう。
【００１２】
本発明は、このような問題点を解決することを課題とするものである。
【課題を解決するための手段】
【００１３】
上述した課題を解決するために、本発明では、まず、ベッドサイドキャビネットの本体の上部において、下側要素の上方に、上側要素を、本体の後側に構成した支持部により間隔を置いて支持して、上側要素の下面と下側要素の上面の間にディスプレイの設置空間を構成し、前記支持部よりも前方側において、前記上側要素の下面と前記下側要素の上面間に支柱を設けると共に、この支柱に屈曲アーム式ディスプレイ支持具を旋回角度調節可能に支持する構成とし、本体の後側に構成した前記支持部は板体として構成したベッドサイドキャビネットを提案する。
【００１４】
また本発明では、上記の構成において、板体から支柱の近傍まで仕切板を取付可能に構成したベッドサイドキャビネットを提案する。
【００１５】
また本発明では、ベッドサイドキャビネットの本体の上部において、下側要素の上方に、上側要素を、本体の後側に構成した支持部により間隔を置いて支持して、上側要素の下面と下側要素の上面の間にディスプレイの設置空間を構成し、前記支持部よりも前方側において、前記上側要素の下面と前記下側要素の上面間に支柱を設けると共に、この支柱に屈曲アーム式ディスプレイ支持具を旋回角度調節可能に支持する構成とし、前記屈曲アーム式ディスプレイ支持具は、支柱に旋回角度調節可能に支持する支持部材と、この支持部材に横方向に突設した第１のアームと、この第１のアームの先端側に縦軸の回りに回転可能に連結した第２のアームと、一端側を前記第２のアームの先端側に縦軸の回りに回転可能に連結すると共に、他端側にディスプレイ取付金具を横軸の回りに回転可能に連結した取付部材とから構成し、前記支持部材は、支柱に相対回転可能に嵌合した筒体として構成し、支持部材及び支柱には、支持部材の回転ストロークを規定する規定手段を構成すると共に、回転ストロークの両端側において回転を不能とするストッパー手段を構成したベッドサイドキャビネットを提案する。
【００１６】
また本発明では、上記の構成において、回転ストロークの規定手段は、支持部材に回転ストロークに対応して回転方向に形成した溝と、支柱に形成して前記溝に係合する突出部とから構成したベッドサイドキャビネットを提案する。
【００１７】
また本発明では、上記の構成において、ストッパー手段は、回転ストロークの両端側に対応して支柱に形成した嵌合孔と、第１のアームから支持部材の内側にバネの付勢により突出可能に設けたストッパーピンと、このストッパーピンを付勢に抗して後退させる操作レバーとから構成したベッドサイドキャビネットを提案する。
【００１８】
また本発明では、ベッドサイドキャビネットの本体の上部において、下側要素の上方に、上側要素を、本体の後側に構成した支持部により間隔を置いて支持して、上側要素の下面と下側要素の上面の間にディスプレイの設置空間を構成し、前記支持部よりも前方側において、前記上側要素の下面と前記下側要素の上面間に支柱を設けると共に、この支柱に屈曲アーム式ディスプレイ支持具を旋回角度調節可能に支持する構成とし、前記屈曲アーム式ディスプレイ支持具は、支柱に旋回角度調節可能に支持する支持部材と、この支持部材に横方向に突設した第１のアームと、この第１のアームの先端側に縦軸の回りに回転可能に連結した第２のアームと、一端側を前記第２のアームの先端側に縦軸の回りに回転可能に連結すると共に、他端側にディスプレイ取付金具を横軸の回りに回転可能に連結した取付部材とから構成し、前記支柱に配線用孔を形成し、屈曲アーム式ディスプレイ支持具を構成する第１のアーム、第２のアーム及び配線用孔を介して支柱内を通して配線を行う構成としたベッドサイドキャビネットを提案する。
【００１９】
また本発明では、ベッドサイドキャビネットの本体の上部において、下側要素の上方に、上側要素を、本体の後側に構成した支持部により間隔を置いて支持して、上側要素の下面と下側要素の上面の間にディスプレイの設置空間を構成し、前記支持部よりも前方側において、前記上側要素の下面と前記下側要素の上面間に支柱を設けると共に、この支柱に屈曲アーム式ディスプレイ支持具を旋回角度調節可能に支持する構成とし、前記屈曲アーム式ディスプレイ支持具は、支柱に旋回角度調節可能に支持する支持部材と、この支持部材に横方向に突設した第１のアームと、この第１のアームの先端側に縦軸の回りに回転可能に連結した第２のアームと、一端側を前記第２のアームの先端側に縦軸の回りに回転可能に連結すると共に、他端側にディスプレイ取付金具を横軸の回りに回転可能に連結した取付部材とから構成し、前記屈曲アーム式ディスプレイ支持具を構成する第１のアームと、本体の後側の支持部により載置板を支持可能としたベッドサイドキャビネットを提案する。
【発明の効果】
【００２１】
本発明では、本体の上部において、下側要素の上方に、上側要素を、本体の後側に構成した支持部により間隔を置いて支持して、上側要素の下面と下側要素の上面の間にディスプレイの設置空間を構成したベッドサイドキャビネットにおいて、屈曲アーム式ディスプレイ支持具を旋回角度調節可能に支持する支柱を、前記支持部よりも前方側において、前記上側要素の下面と前記下側要素の上面間に設けたので、上側要素は、本体の後側の支持部と、それから距離を置いた支柱とにより、片持ちでなく強固に支持される。
【００２２】
このため、本体の後側の支持部は、板体とすることができ、従来のように前方側に突出する側板を不要とすることができるため、ディスプレイの視聴の妨げにならない。
【００２３】
屈曲アーム式ディスプレイ支持具は、本体の後側から前方側に寄った位置に支持されるため、横方向のアーム長を短くすることができ、ディスプレイの制限重量をより大きくすることができる。
【００２４】
支柱に旋回角度調節可能に支持する支持部材と、この支持部材に横方向に突設した第１のアームと、この第１のアームの先端側に縦軸の回りに回転可能に連結した第２のアームと、一端側を前記第２のアームの先端側に縦軸の回りに回転可能に連結すると共に、他端側にディスプレイ取付金具を横軸の回りに回転可能に連結した取付部材とから構成した屈曲アーム式ディスプレイ支持具では、第２のアームを第１のアームの基部側に折り返すように屈曲させた状態でディスプレイを、その長手方向を前後方向に対応させて前記設置空間内に格納状態とすることができる。
【００２５】
支柱に配線用孔を形成し、屈曲アーム式ディスプレイ支持具を構成する第１のアーム、第２のアーム及び配線用孔を介して支柱内を通して配線を行う構成とすることにより、配線が邪魔になったり、美観を損ねたりすることがない。
【００２６】
本体の後側に構成した支持部は板体として構成し、この板体から支柱の近傍まで仕切板を取付ることにより、前記設置空間を区画することができ、一方の区画側を上述したディスプレイの格納空間とすると共に、他方の区画側を物品の収納空間とすることができる。この格納空間における物品の格納は、例えば、屈曲アーム式ディスプレイ支持具を構成する第１のアームと、本体の後側の支持部により載置板を支持し、この載置板に載置して物品を収納することができる。
【図面の簡単な説明】
【００２７】
【図１】図１は本発明に係るベッドサイドキャビネットの第１の実施の形態を示す斜視図である。
【図２】図２は図１の状態のベッドサイドキャビネットに仕切板を取り付け、更に第１のアームと、本体の後側の支持部により載置板を支持した状態を示す斜視図である。
【図３】図３は図２の状態のベッドサイドキャビネットのディスプレイ支持具によりディスプレイを支持した状態を示す斜視図である。
【図４】図４はディスプレイ支持具によるディスプレイの支持状態を示す要部斜視図である。
【図５】図５はディスプレイ支持具によるディスプレイの支持状態を図４とは別の位置から見た状態を示す要部斜視図である。
【図６】図６はディスプレイ支持具によるディスプレイの支持状態を図４とは異なった角度に変更した状態の要部斜視図である。
【図７】図７は図４の状態の要部を切り欠いた説明的斜視図である。
【図８】図８は図７とは異なった局面で示す図４の状態の要部を切り欠いた説明的斜視図である。
【図９】図９はディスプレイの支持範囲を示す説明的平面図である。
【図１０】図１０はディスプレイの格納状態を示す正面側斜視図である。
【図１１】図１１はディスプレイの格納状態を示す側面側斜視図である。
【図１２】図１２はディスプレイの配線状態を示す要部斜視図である。
【図１３】図１３はディスプレイの配線状態を示す要部側面図である。
【図１４】図１４はディスプレイの配線状態を示す他の要部斜視図である。
【図１５】図１５はディスプレイ支持具を支柱に旋回角度調節可能に支持する支持部材の他の実施の形態を示すもので、（ａ）は拡散図、（ｂ）は支持状態の横断面図である。
【図１６】図１６はディスプレイ支持具を支柱に旋回角度調節可能に支持する支持部材の更に他の実施の形態を示すもので、（ａ）は拡散図、（ｂ）は支持状態の横断面図である。
【発明を実施するための形態】
【００２８】
次に本発明のベッドサイドキャビネットの実施の形態を添付した図１〜図１６を参照して説明する。
まず図１〜図１４は第１の実施の形態に係るもので、これらの図において符号１はベッドサイドキャビネットの本体を概して示すもので、この本体１は、その上部において、下側要素２の上方に、上側要素３を、後側に構成した支持部４により間隔を置いて支持して、上側要素３の下面と下側要素２の上面の間にディスプレイ５の設置空間６を構成している。
【００２９】
ここで図に示す実施の形態においては、下側要素２としては、正面側に扉を設けた収納部７と引出８等を設けた箱体として構成されており、その上部の後側には支持台部９により支持板１０が一段高く支持されている。そして支持板１０の下側空間は適宜の装置１１等の設置空間として構成されている。
【００３０】
一方、上側要素３としては、正面側に扉を設けた収納部１２と、側面側に差込収納部１３を設けた箱体として構成されており、この上側要素３は、支持部４としての板体により、下側要素２の上方に支持されている。
【００３１】
そしてこの実施の形態では、前記上側要素３の下面と前記下側要素２の上面、この場合、支持板９の上面間に、板体の支持部４よりも前方側において、支柱１４を設けている。この支柱１４は支持部４から距離を置いており、その間には枠体１５を設けている。この枠体１５は後述するように配線１６を通すダクトとして利用すると共に、仕切板１７を装着して支持する手段として使用している。
【００３２】
本発明では、支柱１４に屈曲アーム式ディスプレイ支持具１８を旋回角度調節可能に支持する構成としており、この実施の形態では、屈曲アーム式ディスプレイ支持具１８は、支柱１４に旋回角度調節可能に支持する支持部材１９と、この支持部材１９に横方向に突設した第１のアーム２０と、この第１のアーム２０の先端側に縦軸の回りに回転可能に連結した第２のアーム２１と、一端側を前記第２のアーム２１の先端側に縦軸の回りに回転可能に連結すると共に、他端側にディスプレイ取付金具２２を横軸の回りに回転可能に連結した取付部材２３とから構成している。このような構成のディスプレイ支持具と構成の異なる適宜のディスプレイ支持具を使用できることは勿論である。
【００３３】
この実施の形態では支持部材１９は、支柱１４に相対回転可能に嵌合した筒体として構成しており、また支持部材１９及び支柱１４には、支持部材１９の回転ストロークを規定する規定手段２４を構成すると共に、回転ストロークの両端側において回転を不能とするストッパー手段２５を構成している。
【００３４】
ここで、回転ストロークの規定手段２４は、回転ストロークに対応して支柱１４に回転方向に形成した溝２６と、前記支持部材１９から突出させて前記溝２６に係合する突出部２７とから構成している。そしてストッパー手段２５は、回転ストロークの両端側に対応して支柱１４に形成した嵌合孔２８ａ，２８ｂと、第１のアーム２０から支持部材１９の内側にバネ２９の付勢により突出可能に設けたストッパーピン３０と、このストッパーピン３０を付勢に抗して後退させる操作レバー３１とから構成している。
【００３５】
以上の構成において、図７に示されるように、ストッパーピン３０がバネ２９の付勢力により突出して支柱１４に形成された嵌合孔２８ａ（図７には図示省略）に嵌合している状態では、第１のアーム２０は支柱１４に対して上方からみて時計回りに回転したストロークの終端において支持されており、この状態ではディスプレイ５は図５及び図９の２点鎖線に示されるように、ベッドサイドキャビネット１の正面側から見て左側に支持されている。
【００３６】
配置替え等によりベッドサイドキャビネット１の正面側から見て左側にディスプレイ５を支持しようとする場合には、図７において操作レバー３１をバネ２９の付勢力に抗して手前側に移動すると、図８に示されるようにストッパーピン３０が嵌合孔２８ａから後退して嵌合が解除されるため、支持部材１９が支柱１４に対して回転可能となる。この状態において、支持部材１９を支柱１４に対して上方からみて反時計回りに回転すると、ストロークの終端においてストッパーピン３０が嵌合孔２８ｂに対応するので、操作レバー３１から手を離すと、ストッパーピン３０がバネ２９の付勢力により前進して嵌合孔２８ｂに嵌合する。
【００３７】
この状態では、図１〜図４、図６及び図９の実線のように、第１のアーム２０は上述したように支柱１４に対して上方からみて反時計回りに回転したストロークの終端において支持され、従ってディスプレイ５は図３に示されるように、ベッドサイドキャビネット１の正面側から見て右側に支持されることになる。
【００３８】
そしてこの実施の形態における屈曲アーム式ディスプレイ支持具１８においては、第２のアーム２１を第１のアーム２０の基部側に折り返すように屈曲させた状態でディスプレイ５を、図１０、図１１に示されるように、その長手方向を前後方向に対応させて前記設置空間６内に格納状態とすることができる。
【００３９】
尚、支持部材１９を、それに加わる荷重に抗して支柱１４の所定高さに支持する手段は、上記ストッパーピン３０と嵌合孔２８ａ，２８ｂ及び溝２６と突出部２７に加えて、適宜の支持手段を付加することができることは勿論であり、またこれらの支持手段により、支持部材１９を、支柱１４の適宜の高さに支持可能とすることもできる。
【００４０】
一方、支柱１４には配線用孔３２が形成されており、これにより図１２〜図１４に示されるように、屈曲アーム式ディスプレイ支持具２２を構成する第１のアーム２０、第２のアーム２１及び配線用孔３２を介して支柱１４内を通してベッドサイドキャビネット１の背面側に配線を行う構成としている。従って、配線が邪魔になったり、美観を損ねたりすることがない。
【００４１】
上述したとおり、本発明のベッドサイドキャビネットでは、本体１の上部において、下側要素２の上方に、上側要素３を、本体１の後側に構成した支持部４により間隔を置いて支持して、上側要素３の下面と下側要素２の上面の間にディスプレイ５の設置空間６を構成しており、そして、屈曲アーム式ディスプレイ支持具１８を旋回角度調節可能に支持する支柱１４を、前記支持部４よりも前方側において、前記上側要素３の下面と前記下側要素２の上面間に設けたので、上側要素３は、本体１の後側の支持部４と、それから距離を置いた支柱１４とにより、片持ちでなく強固に支持される。
【００４２】
このため、本体１の後側の支持部４は、上述したとおり板体とすることができ、従来のように前方側に突出する側板を不要とすることができるため、ベッドサイドキャビネットの横側からのディスプレイ５の視聴の妨げにならない。また上側要素３は強固に支持されるため、重量物を載置したり、大容量の収納が可能な収納部として構成することができる。
【００４３】
一方、屈曲アーム式ディスプレイ支持具１８は、本体１の後側から前方側に寄った位置に支持されるため、横方向のアーム長を短くしても、ディスプレイ５をベッドからの視聴に適した位置に容易に調整することができると共に、不要時には上述したように設置空間６の片側に合理的に格納状態とすることができ、また必要によってはディスプレイの制限重量をより大きくすることができる。
【００４４】
上述したように本体１の後側に構成した支持部４は板体として構成し、この板体４から支柱１４の近傍まで仕切板１７を取付ることにより、前記設置空間６を区画することができ、一方の区画側を上述したようにディスプレイ５の格納空間とすると共に、他方の区画側を物品の収納空間とすることもできる。
【００４５】
この収納空間における物品の収納は、例えば屈曲アーム式ディスプレイ支持具１８を構成する第１のアーム２０と、本体１の後側の支持部１４に設けた装着溝３３により載置板３４を載置し、この載置板３４に物品を載置して収納することができる。尚、図示は省略しているが、載置板３４の後側には、上記装着溝３３に嵌合する突出部を設けている。
【００４６】
尚、屈曲アーム式ディスプレイ支持具１８を支柱１４に対して旋回角度調整可能に支持する支持部材１９としては、筒体以外にも図１５又は図１６に示されるように適宜の構成とすることができる。
【００４７】
即ち、図１５では支持部材１９は、支柱１４が通過可能な開口を有する包持部材３５として形成し、雌ねじ部３６に螺合した締付ねじ３７により支柱１４を包持部材３５に圧接させることにより、包持部材３５を支柱１４に対して移動不能に支持すると共に、締付ねじ３７を緩めることにより、支持位置を変更可能とする構成である。
【００４８】
また図１６では、支持部材１９は、支柱１４を係合させる凹部を設けた主挟持部材３８と従挟持部材３９を要素とし、主挟持部材３８と従挟持部材３９により支柱１４を囲んで締付ねじ４０により締め付けることにより、支持部材１９を支柱１４に対して移動不能に支持すると共に、締付ねじ３７を緩めることにより、支持位置を変更可能とする構成である。
【００４９】
図１５や図１６に示される支持部材１９は、上述した筒体としての支持部材１９に代えて屈曲アーム式ディスプレイ支持具１８を支柱１４に対して支持するようにする他、筒体としての支持部材１９による屈曲アーム式ディスプレイ支持具１８の支持と併用して、ディスプレイ５以外の物品を支持する用途に利用することもできる。
【符号の説明】
【００５０】
１              ベッドサイドキャビネットの本体
２              下側要素
３              上側要素
４              支持部（板体）
５              ディスプレイ
６              設置空間
７              収納部
８              引出
９              支持台部
１０            支持板
１１            制御装置
１２            収納部
１３            差込収納部
１４            支柱
１５            枠体
１６            配線
１７            仕切板
１８            屈曲アーム式ディスプレイ支持具
１９            支持部材（筒体）
２０            第１のアーム
２１            第２のアーム
２２            ディスプレイ取付金具
２３            取付部材
２４            回転ストロークの規定手段
２５            ストッパー手段
２６            溝
２７            突出部
２８ａ，２８ｂ  嵌合孔
２９            バネ
３０            ストッパーピン
３１            操作レバー
３２            配線用孔
３３            装着溝
３４            載置板
３５            包持部材
３６            雌ねじ部
３７            締付ねじ
３８            主挟持部材
３９            従挟持部材
４０            締付ねじ
【図１】
0005511398.tif 000002
【図２】
0005511398.tif 000003
【図３】
0005511398.tif 000004
【図４】
0005511398.tif 000005
【図５】
0005511398.tif 000006
【図６】
0005511398.tif 000007
【図７】
0005511398.tif 000008
【図８】
0005511398.tif 000009
【図９】
0005511398.tif 000010
【図１０】
0005511398.tif 000011
【図１１】
0005511398.tif 000012
【図１２】
0005511398.tif 000013
【図１３】
0005511398.tif 000014
【図１４】
0005511398.tif 000015
【図１５】
0005511398.tif 000016
【図１６】
0005511398.tif 000017